(57)【要約】【課題】フリッカ現象を抑制しつつ、電磁誘導加熱用の電力を、熱ローラの加熱に必要な目標電力まで従来よりも短時間で立ち上げる。【解決手段】定着装置２８の熱ローラ２６内に設けられ、熱ローラ２６を電磁誘導により加熱する励磁コイル４３と、励磁コイル４３への高周波電流の供給を制御する駆動回路４２と、励磁コイル４３への高周波電流の供給開始時から、励磁コイル４３に供給される電力の値が予め定められた電力値に達するまでの第１期間は、高周波電流の周波数の単位時間当たりの下げ幅を大きくし、励磁コイル４３に供給される電力の値が前記予め定められた電力値に達した時点から、予め定められた目標電力に到達するまでの第２期間は、高周波電流の周波数の単位時間当たりの下げ幅を第１期間の下げ幅よりも小さくして、駆動回路４２によって設定される高周波電流の周波数を変更するＩＨ制御部４１とを備える。【選択図】図２
2010277922.tif 000002
【特許請求の範囲】
【請求項１】
被加熱体を電磁誘導により加熱する励磁コイルと、
前記励磁コイルへの高周波電流の供給を制御する電流供給制御部と、
前記励磁コイルへの前記高周波電流の供給開始時から、前記励磁コイルに供給される電力の値が予め定められた電力値に達するまでの第１期間は、前記高周波電流の周波数の単位時間当たりの下げ幅を大きくし、前記励磁コイルに供給される電力の値が前記予め定められた電力値に達した時点から、予め定められた目標電力に到達するまでの第２期間は、前記高周波電流の周波数の単位時間当たりの下げ幅を前記第１期間の下げ幅よりも小さくして、前記電流供給制御部によって設定される前記高周波電流の周波数を変更する周波数変更部と
を備える誘導加熱装置。
【請求項２】
前記励磁コイルに供給される電源電圧を検出する電圧検出部と、
前記被加熱体の温度を検出する温度検出部とを更に備え、
前記周波数変更部は、前記第１及び第２期間における前記高周波電流周波数の下げ幅のパターンを示す周波数変化パターンを複数記憶しており、高周波電流供給開始直前に前記電圧検出部で検出された前記電源電圧及び前記温度検出部で検出された前記被加熱体の温度に応じた周波数変化パターンを、前記複数の周波数変化パターンの中から選択し、当該選択した周波数変化パターンに従って、前記電流供給制御部によって設定される前記高周波電流の周波数を変更する請求項１に記載の誘導加熱装置。
【請求項３】
請求項１又は請求項２に記載の誘導加熱装置と、
前記誘導加熱装置によって加熱される前記被加熱体としての前記熱ローラと、当該熱ローラに当接される圧ローラとを備え、記録媒体上に形成された画像を前記両ローラにより当該記録媒体に定着させる定着部と
を備えた定着装置。
【請求項４】
請求項１又は請求項２に記載の誘導加熱装置と、
画像データに基づいた画像を記録媒体上に形成する画像形成部と、
前記誘導加熱装置によって加熱される前記被加熱体としての前記熱ローラと、当該熱ローラに当接される圧ローラとを備え、記録媒体上に形成された画像を前記両ローラにより当該記録媒体に定着させる定着部と
を備えた画像形成装置。
【発明の詳細な説明】
【技術分野】
【０００１】
本発明は、誘導加熱装置、定着装置及び画像形成装置に関し、特に、定着装置の熱ローラを電磁誘導により加熱する励磁コイルに供給する高周波電流の制御に関する。
【背景技術】
【０００２】
従来から、定着装置の熱ローラ内に設けられた励磁コイルに高周波電流を供給し、当該励磁コイルを熱源として電磁誘導加熱を行う定着装置を備えた画像形成装置が提案されている。このような電磁誘導加熱を行う定着装置及び画像形成装置は、電磁誘導加熱開始時に急激に消費される電力によって、他の照明機器にフリッカ現象を生じさせるおそれがある。そのため、当該電磁誘導加熱を行う定着装置及び画像形成装置では、下記特許文献１に示されるように、電磁誘導加熱開始時に定着装置の熱ローラに供給される高周波電力の単位時間当たりの変化量を一定にして電磁誘導加熱開始時の消費電力を抑えるようにし、他の照明機器等で生じるフリッカ現象を抑制する技術が採用されている。
【先行技術文献】
【特許文献】
【０００３】
【特許文献１】特開２００４−３７８６８号公報
【発明の概要】
【発明が解決しようとする課題】
【０００４】
しかしながら、上記従来の定着装置及び画像形成装置の場合、上記フリッカ現象を抑制するには、依然として電磁誘導加熱開始時の消費電力を抑える必要がある。このため、熱ローラの加熱のために誘導加熱装置から供給される電力が、熱ローラの加熱に必要な目標電力まで立ち上がるために時間を要する点は改善されておらず、この点については充分な対策が採られていない。
【０００５】
本発明は、上記の問題を解決するためになされたもので、フリッカ現象を抑制しつつ、電磁誘導加熱用の電力を、熱ローラの加熱に必要な目標電力まで従来よりも短時間で立ち上げることを目的とする。
【課題を解決するための手段】
【０００６】
本発明の請求項１に記載の発明は、被加熱体を電磁誘導により加熱する励磁コイルと、
前記励磁コイルへの高周波電流の供給を制御する電流供給制御部と、
前記励磁コイルへの前記高周波電流の供給開始時から、前記励磁コイルに供給される電力の値が予め定められた電力値に達するまでの第１期間は、前記高周波電流の周波数の単位時間当たりの下げ幅を大きくし、前記励磁コイルに供給される電力の値が前記予め定められた電力値に達した時点から、予め定められた目標電力に到達するまでの第２期間は、前記高周波電流の周波数の単位時間当たりの下げ幅を前記第１期間の下げ幅よりも小さくして、前記電流供給制御部によって設定される前記高周波電流の周波数を変更する周波数変更部と
を備える誘導加熱装置である。
【０００７】
この発明では、周波数変更部が、励磁コイルへの前記高周波電流の供給開始時から、励磁コイルに供給される電力の値が予め定められた電力値に達するまでの第１期間は、高周波電流の周波数の単位時間当たりの下げ幅を大きくし、当該励磁コイルに供給される電力の値が前記予め定められた電力値に達した時点から、予め定められた目標電力に到達するまでの第２期間は、高周波電流の周波数の単位時間当たりの下げ幅を前記第１期間の下げ幅よりも小さくして、電流供給制御部によって設定される高周波電流の周波数を変更する。ここで、フリッカ現象による影響は、励磁コイルに供給される電力が低いときは小さい。本発明は、励磁コイルに供給される電力が比較的低い状態となっている上記第１期間（励磁コイルへの高周波電流の供給開始時から、励磁コイルに供給される電力の値が予め定められた電力値に達するまでの期間）は、周波数変更部が、高周波電流の周波数の単位時間当たりの下げ幅を大きくして単位時間当たりの電力増加量を大きくするので、フリッカ現象による影響を小さく抑えつつ、被加熱体の加熱に用いる電力を大きく増大させることが可能である。
【０００８】
このため、本発明によれば、フリッカ現象を抑制しつつ、電磁誘導加熱用の電力を、被加熱体の加熱に必要な目標電力まで従来よりも短時間で立ち上げることができる。また、従来よりも迅速に被加熱体を目標温度まで上昇させることが可能になる。さらに、熱ローラを当該目標温度まで上昇させるための合計電力を低減させることができる。
【０００９】
また、請求項２に記載の発明は、請求項１に記載の誘導加熱装置であって、前記励磁コイルに供給される電源電圧を検出する電圧検出部と、
前記被加熱体の温度を検出する温度検出部とを更に備え、
前記周波数変更部は、前記第１及び第２期間における前記高周波電流周波数の下げ幅のパターンを示す周波数変化パターンを複数記憶しており、高周波電流供給開始直前に前記電圧検出部で検出された前記電源電圧及び前記温度検出部で検出された前記被加熱体の温度に応じた周波数変化パターンを、前記複数の周波数変化パターンの中から選択し、当該選択した周波数変化パターンに従って、前記電流供給制御部によって設定される前記高周波電流の周波数を変更するものである。
【００１０】
この発明によれば、周波数変更部が、高周波電流供給開始直前における励磁コイルに供給される電源電圧と、被加熱体の温度とに応じて、第１及び第２期間における高周波電流の周波数の下げ幅のパターンである周波数変化パターンを選択し、当該選択した周波数変化パターンに従って、電流供給制御部によって設定される高周波電流の周波数を変更するので、被加熱体の状態に応じて、第１及び第２期間における高周波電流の周波数を適切に変化させることが可能になる。このため、この発明によれば、フリッカ現象の抑制と、電磁誘導加熱用電力の目標電力までの立ち上げ時間短縮の両立をより効率よく実現することができる。さらには、予め定められた周波数変化パターンに従った周波数変更で高周波電流を変化させて被加熱体を加熱して定着装置を立ち上げるため、簡潔な構成で予め定められた構成で高周波電流の変更制御を行うことができる。
【００１１】
また、請求項３に記載の発明は、請求項１又は請求項２に記載の誘導加熱装置と、
前記誘導加熱装置によって加熱される前記被加熱体としての前記熱ローラと、当該熱ローラに当接される圧ローラとを備え、記録媒体上に形成された画像を前記両ローラにより当該記録媒体に定着させる定着部と
を備えた定着装置である。
【００１２】
また、請求項４に記載の発明は、請求項１又は請求項２に記載の誘導加熱装置と、
画像データに基づいた画像を記録媒体上に形成する画像形成部と、
前記誘導加熱装置によって加熱される前記被加熱体としての前記熱ローラと、当該熱ローラに当接される圧ローラとを備え、記録媒体上に形成された画像を前記両ローラにより当該記録媒体に定着させる定着部と
を備えた画像形成装置である。
【００１３】
これらの発明によれば、請求項１又は請求項２に記載の発明と同様の作用を得ることができる。
【発明の効果】
【００１４】
本発明によれば、フリッカ現象を抑制しつつ、電磁誘導加熱用の電力を、熱ローラの加熱に必要な目標電力まで従来よりも短時間で立ち上げることができる。
【図面の簡単な説明】
【００１５】
【図１】本発明の一実施形態に係る画像形成装置の内部構成を概略的に示した側面図である。
【図２】定着装置と、誘導加熱装置と、当該定着装置を制御する本体側制御部の動作機能を説明するためのブロック図である。
【図３】周波数変更パターン記憶部に記憶されている複数の周波数変化パターンの例をグラフで示す図である。
【図４】本実施形態の周波数変化パターンを、従来の周波数変化パターンと比較してグラフで示す図である。
【図５】上記周波数変化パターン通りに高周波電流の周波数を変化させた場合における電力量の変化をグラフで示す図である。
【図６】定着装置による定着動作時のＩＨ制御部による高周波電流の周波数制御を示すフローチャートである。
【発明を実施するための形態】
【００１６】
以下、本発明に係る誘導加熱装置、定着装置及び画像形成装置の実施形態を図面に基づいて説明する。図１は、本発明の一実施形態に係る画像形成装置１の内部構成を概略的に示した側面図である。尚、画像形成装置１は、複写機、プリンタ及びファクシミリ機等であり、用紙に乗せられたトナー像を加圧・加熱によって定着させるプロセスを持つ画像形成装置であればよい。画像形成装置１は、本体部２、本体部２の左方に配設されたスタックトレイ３、本体部２の上部に配設された原稿読取部４、原稿読取部４の上方に配設された原稿給送部５を備えている。
【００１７】
また、画像形成装置１のフロント部には、入力操作部６が設けられている。この入力操作部６には、電源キーやユーザが印刷実行指示を入力するためのスタートキー、印刷部数等を入力するためのテンキー、各種複写動作の操作ガイド情報等を表示し、これら各種設定入力用にタッチパネル機能を有する液晶ディスプレイ等からなる表示部９等を有する。
【００１８】
原稿読取部４は、ＣＣＤ(Charge Coupled Device)やＣＭＯＳ（Complementary Metal Oxide Semiconductor）等のイメージセンサ及び露光ランプ等からなるスキャナ部１３、ガラス等の透明部材により構成された原稿台１４及び原稿読取スリット１５を備える。スキャナ部１３は、図略の駆動部によって移動可能に構成され、原稿台１４に載置された原稿を読み取るときは、原稿台１４に対向する位置で原稿面に沿って移動され、原稿画像を走査しつつ取得した画像データを画像メモリ（不図示）へ出力する。また、原稿給送部５により給送された原稿を読み取るときは、原稿読取スリット１５と対向する位置に移動され、原稿読取スリット１５を介して原稿給送部５による原稿の搬送動作と同期して原稿の画像を取得し、その画像データを画像メモリへ出力する。
【００１９】
原稿給送部５は、原稿を載置するための原稿載置部１６と、画像読み取り済みの原稿を排出するための原稿排出部１７、原稿載置部１６に載置された原稿を１枚ずつ繰り出して原稿読取スリット１５に対向する位置へ搬送し、原稿排出部１７へ排出するための給紙ローラや搬送ローラ（不図示）等からなる原稿搬送機構１８を備える。
【００２０】
また、原稿給送部５は、その前面側が上方に移動可能となるように本体部２に対して回動自在に設けられている。原稿給送部５の前面側を上方に移動させて原稿台１４上面を開放することにより、原稿台１４の上面に読み取り原稿、例えば見開き状態にされた書籍等をユーザが載置できるようになっている。
【００２１】
本体部２は、複数の給紙カセット１９と、給紙カセット１９から用紙を１枚ずつ繰り出して画像形成部２１へ搬送する給紙ローラ２０と、給紙カセット１９から搬送されてきた用紙に画像を形成する画像形成部２１とを備える。
【００２２】
画像形成部２１は、スキャナ部１３で取得された画像データに基づきレーザ光等を出力して感光体ドラム２２を露光し、感光体ドラム２２の表面に静電潜像を形成する光学ユニット２３と、静電潜像が形成された感光体ドラム２２の表面にトナーを付着することによりトナー像を形成する現像部２４と、感光体ドラム２２上のトナー像を用紙に転写する転写部２５とを備える。
【００２３】
定着装置２８は、トナー像が転写された用紙を加熱してトナー像を用紙に融解定着させる熱ローラ２６及び加圧ローラ２７を備える。
【００２４】
画像形成部２１内の用紙搬送路中には、用紙をスタックトレイ３又は排出トレイ２９まで搬送する搬送ローラ対３０及び３１等が備えられている。
【００２５】
また、用紙の両面に画像を形成する場合は、画像形成部２１で用紙の一方の面に画像を形成した後、この用紙を排出トレイ２９側の搬送ローラ対３０，３１にニップされた状態とする。この状態で搬送ローラ対３０，３１を反転させて用紙をスイッチバックさせ、搬送ローラ対３８及び３９が用紙を用紙搬送路３２に送って画像形成部２１の上流域に再度搬送し、画像形成部２１により他方の面に画像を形成した後、用紙をスタックトレイ３又は排出トレイ２９に排出する。
【００２６】
図２は、定着装置２８と、誘導加熱装置１０と、当該定着装置２８を制御する本体側制御部５１の動作機能を説明するためのブロック図である。本体側制御部５１は、ＣＰＵ（Central Processing Unit：中央処理装置）等によって構成され、画像形成装置１の各構成部から入力された指示信号等に応じてプログラムを読み出して処理を実行し、各機能部への指示信号の出力等を行って画像形成装置１を統括的に制御するものである。
【００２７】
また、本体側制御部５１は、本体部２に備えられ、画像形成時に定着装置２８に定着動作を行わせる定着指示信号と、駆動回路４２による励磁コイル４３への高周波電流の供給を停止させる電流遮断指示信号とをＩＨ制御部４１へ出力し、ＩＨ制御部４１に定着動作のための制御を行わせる。
【００２８】
定着装置２８は、熱ローラ２６、加圧ローラ２７（図２では不図示）、ＩＨ制御部４１、駆動回路４２、励磁コイル４３、温度センサ４４、及び電圧検出部４５を有する。なお、誘導加熱装置１０は、ＩＨ制御部４１、駆動回路４２、励磁コイル４３、温度センサ４４、及び電圧検出部４５を備えてなる。なお、誘導加熱装置１０のうち、励磁コイル４３を除く部分は、定着装置２８とは別個に画像形成装置１の本体部２に備えられていてもよい。
【００２９】
励磁コイル４３は、導電性材料からなる筒状の熱ローラ２６の内部に設けられている。
【００３０】
温度センサ４４は、熱ローラ２６の表面温度を検出するセンサである。温度センサ４４は、検出した当該表面温度を、本体側制御部５１及びＩＨ制御部４１に出力する。
【００３１】
電圧検出部４５は、熱ローラ２６内の励磁コイル４３に供給される電源電圧を検出し、検出した電圧値をＩＨ制御部４１に出力する。
【００３２】
駆動回路（電流供給制御部）４２は、ＩＨ制御部４１の制御によって駆動し、励磁コイル４３に高周波電流を供給する。この電流供給により励磁コイル４３に生じた高周波磁界で導電性材料からなる熱ローラ２６本体に誘導渦電流が発生し、熱ローラ２６が発熱するようになっている。
【００３３】
ＩＨ制御部（周波数変更部）４１は、ＣＰＵ等によって構成され、本体側制御部５１から出力された指示信号に応じて駆動回路４２を制御する。具体的には、ＩＨ制御部４１は、本体側制御部５１から出力された定着指示信号に基づいて熱ローラ２６を加熱するとき、温度センサ４４による検出温度及び電圧検出部４５による検出電圧値に基づいて、励磁コイル４３に供給する高周波電流の周波数を算出し、駆動回路４２に出力する。また、本体側制御部５１から電流遮断指示信号が出力された場合、ＩＨ制御部４１は駆動回路４２に対して電流遮断制御を行う。この電流遮断制御により、駆動回路４２は励磁コイル４３に対する高周波電流の供給を停止する。
【００３４】
ＩＨ制御部４１は、周波数変化パターン記憶部４１１を有する。周波数変化パターン記憶部４１１は、ＲＯＭ等のメモリからなり、時間経過に応じて変化させる周波数のパターンである周波数変化パターンが複数記憶されている。当該周波数変化パターンは、熱ローラ２６への駆動回路４２による高周波電流の供給開始時から、熱ローラ２６に供給される電力の値が予め定められた目標電力に到達するまでの期間において、当該高周波電流供給開始時からの時間経過に応じてＩＨ制御部４１が変化させる当該高周波電流の周波数のパターンである。
【００３５】
周波数変化パターン記憶部４１１は、高周波電流の供給開始直前における熱ローラ２６の表面温度t及び熱ローラ２６に供給される電源電圧値vに応じて用意された複数の周波数変化パターンを記憶している。図３は、当該複数の周波数変化パターンの例をグラフで示す図である。図３には、例として、表面温度tが50℃，電源電圧値vが120(V)の場合に用いる周波数変化パターンを破線で示し、表面温度tが50℃，電源電圧値vが100(V)の場合に用いる周波数変化パターンを実線で示し、表面温度tが150℃，電源電圧値vが100(V)の場合に用いる周波数変化パターンを一点鎖線で示している。但し、周波数変更パターン記憶部４１２に記憶されている周波数変化パターンの数を３つに限定する趣旨ではない。様々な高周波電流の供給開始直前における熱ローラ２６の表面温度t及び熱ローラ２６に供給される電源電圧値vに対応すべく、多くの周波数変化パターンが周波数変更パターン記憶部４１２に記憶されていることが好ましい。
【００３６】
本実施形態の上記各周波数変化パターンは、熱ローラ２６への高周波電流の供給開始時から、熱ローラ２６に供給される電力の値が、予め定められた電力値（他の照明機器等にフリッカ現象を生じさせないと想定される比較的低い電力値。例えば、熱ローラ２６の加熱に用いることが可能な目標電力の電力値が1500Wである場合における600W。）に達するまでの期間を第１期間とし、この第１期間においては、上記高周波電流の周波数の単位時間当たりの下げ幅が大きくなるようにして、時間経過に伴って変更される高周波電流の周波数が設定されている。また、熱ローラ２６に供給される電力の値が上記予め定められた電力値に達した時点から、予め定められた目標電力（熱ローラ２６の加熱に用いることが可能な電力値。例えば、1500W）に到達するまでの期間を第２期間とし、この第２期間においては、上記高周波電流の周波数の単位時間当たりの下げ幅が上記第１期間の下げ幅よりも小さくなるようにして、時間経過に伴って変更される高周波電流の周波数が設定されている。
【００３７】
なお、上記第１期間及び第２期間は、熱ローラ２６の表面温度及び熱ローラ２６に供給される電源電圧値に応じて、予め測定されて設定されている。
【００３８】
図４は、本実施形態の周波数変化パターンを従来の周波数変化パターンと比較してグラフで示す図である。図４に実線で示すように、本実施形態の周波数変化パターンは、図４に破線で示す従来の周波数変化パターンよりも、上記目標電力に至るまでの各時点において低い周波数に設定されている。なお、図４には、本実施形態の周波数変化パターンとして、表面温度tが50℃，電源電圧値vが100(V)の場合に用いる周波数変化パターンを示している。
【００３９】
図５は、上記周波数変化パターン通りに高周波電流の周波数を変化させた場合における電力量の変化をグラフで示す図である。
【００４０】
上記図４に示した本実施形態の周波数変化パターンは、当該周波数変化パターン通りに高周波電流の周波数を変化させた場合、図５に実線で示すように、上記第１期間においては単位時間当たりの電力変化量が比較的大きくなり、フリッカ現象を生じさせると想定される電力量となる上記第２期間においては単位時間当たりの電力変化量が比較的小さくなるように、熱ローラ２６に供給される電力の電力量変化が設定されている。一方、図５に破線で示す電力量変化は、従来から行われている単位時間当たりの電力変化量を一定にした場合のものである。
【００４１】
図５に示すように、上記本実施形態の周波数変化パターンに基づいて、高周波電流の供給開始時から上記目標電力に到達するまでの期間における高周波電流の周波数を変化させれば、上記本実施形態の周波数変化パターンは、第１期間において従来よりも単位時間当たりの電力増加量を大きくしている分、従来よりも速い時点で目標電力に達することが可能である。
【００４２】
定着装置２８による定着動作時のＩＨ制御部４１による高周波電流の周波数制御を説明する。図６は、定着装置２８による定着動作時のＩＨ制御部４１による高周波電流の周波数制御を示すフローチャートである。
【００４３】
ＩＨ制御部４１は、本体側制御部５１から定着指示信号を受け付けると（Ｓ１でＹＥＳ）、この時点における熱ローラ２６の表面温度tを温度センサ４４から取得し（Ｓ２）、更に、熱ローラ２６に供給される電源電圧値vを電圧検出部４５から取得する（Ｓ３）。
【００４４】
ＩＨ制御部４１は、当該取得した表面温度t及び電源電圧値vに対応する周波数変化パターンを、周波数変化パターン記憶部４１１から読み出すことで算出する（Ｓ４）。
【００４５】
そして、ＩＨ制御部４１は、当該読み出した周波数変化パターンに基づいて、駆動回路４２に出力する周波数を変更する（Ｓ５）。すなわち、ＩＨ制御部４１は、当該周波数変更制御開始（高周波電流の供給開始）と共に、内蔵するタイマにより経過時間の計測を開始し、経過時間に応じて、当該読み出した周波数変化パターンが示す周波数を駆動回路４２に出力する。駆動回路４２は、当該ＩＨ制御部４１から送られてくる周波数で高周波電流を励磁コイル４３に供給する。なお、当該周波数変化パターンは、目標電力に達した後は、一定になるように設定されている。
【００４６】
なお、ＩＨ制御部４１は、上記取得した表面温度t及び電源電圧値vに対応する周波数変化パターンが周波数変更パターン記憶部４１１に記憶されていない場合は、(1) 当該取得した表面温度t及び電源電圧値vに最も近似する表面温度t及び電源電圧値vに対応した周波数変化パターンを周波数変更パターン記憶部４１１から読み出して用いる、又は(2)上記周波数変更パターン記憶部４１１に記憶されている各周波数変化パターンに基づいた線形補間により、上記Ｓ５での周波数変更制御に用いる各経過時間に対応した高周波電流の周波数を算出するようにする。
【００４７】
例えば、上記取得した表面温度tx及び電源電圧値vxに対応する周波数変化パターンが周波数変更パターン記憶部４１１に記憶されていない場合、まず、同一の表面温度t1であって異なる電源電圧値v1，v2に対応する２つの周波数変更パターンを用いた次式に示す線形補間により、当該表面温度t1における電源電圧値vxの場合の周波数f3を算出する。
ｆ1[V=v1,T=t1,経過時間TM=tm1] = f1[kHz]・・・・・式(1)
ｆ2[V=v2,T=t1,経過時間TM=tm1] = f2[kHz]・・・・・式(2)
であるとき、式(1)、式(2)に基づく線形補間により以下を算出する。
ｆ3[V=vx,T=t1,TM=tm1] = (vx-v1)×(ｆ2 - ｆ1) / (v2 - v1) ＋ f1 = f3[kHz]・・・式(3)
続いて、表面温度t1とは異なる表面温度t2であって異なる電源電圧値v1，v2に対応する２つの周波数変更パターンを用いた次式に示す線形補間により、当該表面温度t2における電源電圧値vxの場合の周波数f6を算出する。
ｆ4[V=v1,T=t2,経過時間TM=tm1] = f4[kHz]・・・・・式(4)
ｆ5[V=v2,T=t2,経過時間TM=tm1] = f5[kHz]・・・・・式(5)
であるとき、式(4)、式(5)に基づく線形補間により以下を算出する。
ｆ6[V=vx,T=t2,TM=tm1] = (vx-v1)×(ｆ5 - ｆ4) / (v2 - v1) ＋ f4 = f6[kHz]・・・式(6)
式(3)、式(6) に基づく線形補間により、経過時間TM=tm1（msec）時点で表面温度tx及び電源電圧値vxに対応する周波数f7を以下の式により算出する。
ｆ7[V=vx,T=tx,TM=tm1] = (tx-t1)×(ｆ6 - ｆ3) / (t2-t1) ＋ f3 = f7[kHz]・・・式(7)
以上より、ＩＨ制御部４１は、ベルト温度T=tx（℃）、電源電圧V=vx（V）、経過時間TM=tm1（msec）の場合には、励磁コイル４３に供給する高周波電流の周波数として、上記線形補間により算出したf7[kHz]（式(7)）を用いる。
なお、当該各式を用いた線形補間は単なる一例であり、他の算出方法を用いてもよい。
【００４８】
なお、本発明は上記実施の形態の構成に限られず種々の変形が可能である。例えば、図１乃至図６に示す構成及び処理は、本発明に係る誘導加熱装置１０、定着装置２８及び画像形成装置１の構成及び処理の一実施形態に過ぎず、本発明に係る誘導加熱装置１０、定着装置２８及び画像形成装置１を当該構成及び処理に限定する趣旨ではない。
【符号の説明】
【００４９】
１          画像形成装置
１０        誘導加熱装置
２１        画像形成部
２６        熱ローラ
２７        加圧ローラ
２８        定着装置
４１        ＩＨ制御部
４１１      周波数変化パターン記憶部
４２        駆動回路
４３        励磁コイル
４４        温度センサ
４５        電圧検出部
【図１】
2010277922.tif 000003
【図２】
2010277922.tif 000004
【図３】
2010277922.tif 000005
【図４】
2010277922.tif 000006
【図５】
2010277922.tif 000007
【図６】
2010277922.tif 000008